(57)【要約】【課題】  装飾紙や装飾カバーを用いることなく、装置の装飾性や視認性を高めることが可能な携帯端末装置を得る。【解決手段】  装置の表示部側筐体カバー６１の背面（サブＬＣＤ表示部１が設けられている面）のほぼ全面に、透明有機ＥＬディスプレイ兼カバー３を、装飾ネジ５により取り付ける。サブＬＣＤ表示部１と有機ＥＬ表示体とを、装置のイベントに応じて表示内容を選択制御することにより、種々の表示内容を得ることができ、視認性や装飾性が著しく向上する。【選択図】      図２
2006054624.tif 000002
【特許請求の範囲】
【請求項１】
筐体に表示部を有する携帯端末装置であって、前記筐体の前記表示部を有する面のほぼ全面に設けられた有機ＥＬ表示体を含むことを特徴とする携帯端末装置。
【請求項２】
前記表示部は、前記筐体の一主表面に設けられた主表示部と、前記筐体の他主表面に設けられた副表示部とからなり、前記主表示部を有する前記筐体の一主表面と、前記副表示部を有する前記筐体の他主表面との少なくとも一方に、前記有機ＥＬ表示体が設けられていることを特徴とする請求項１記載の携帯端末装置。
【請求項３】
前記筐体は操作部を有する操作側筐体と、前記表示部を有する表示側筐体とを有し、これら両筐体が折り畳み自在に構成されていることを特徴とする請求項１または２記載の携帯端末装置。
【請求項４】
装置のイベント状態に応じて前記表示部と前記有機ＥＬ表示体との表示内容を選択制御する制御手段を、更に含むことを特徴とする請求項１〜３いずれか記載の携帯端末装置。
【請求項５】
前記制御手段は、装置が置かれた環境の明暗に応じて前記表示内容の選択制御を行うようにしたことを特徴とする請求項４記載の携帯端末装置。
【請求項６】
前記制御手段は、充電状態かどうかに応じて前記表示内容の選択制御を行うようにしたことを特徴とする請求項４または５記載の携帯端末装置。
【請求項７】
前記制御手段は、電池電圧の状態に応じて前記表示内容の選択制御を行うようにしたことを特徴とする請求項４〜６いずれか記載の携帯端末装置。
【請求項８】
前記副表示部はＬＣＤ表示体であることを特徴とする請求項１〜７いずれか記載の携帯端末装置。
【請求項９】
携帯電話機であることを特徴とする請求項１〜８いずれか記載の携帯端末装置。
【発明の詳細な説明】
【技術分野】
【０００１】
本発明は携帯端末装置に関し、特に携帯電話装置における装飾性の改良に関するものである。
【背景技術】
【０００２】
携帯電話装置には、表示部（ＬＣＤディスプレイ部）を有する表示側筐体と、テンキー等の操作部を有する操作側筐体とが、ヒンジユニットにより折り畳み自在に連結された構造の折り畳み式携帯電話装置が広く普及している。この種の折り畳み式携帯電話装置では、折り畳んだ状態において、時刻表示や着信を告知するための表示をなすために、表示側筐体の背面（主ＬＣＤ表示部が設けられた面と反対の面）に、副ＬＣＤ表示部が設けられている。この副ＬＣＤ表示部の表示内容は、前述したように、時刻表示などの単なる数字の表示のみであり、また一般にはカラー表示ではなくモノクロ表示であるために、装置の装飾とはなり得ない。
【０００３】
そこで、従来においては、この携帯電話装置における装飾性や視覚性を高めるために、図１１，１２に示す構造のものがある。図１１は折り畳んだ状態の斜視図であり、図１２は表示部側筐体の分解斜視図である。両図を参照すると、操作部側筐体７と表示部側筐体６とが、ヒンジ３０により折り畳み自在に連結されている。表示部側筐体６は、装飾紙カバー１９と、装飾紙１７と、筐体本体６１と、副表示部となるサブＬＣＤ表示体１と、バックライト（導光板）２と、表示部側基板２１と、カバー２２とが、装飾ネジ５によりネジ止めされて積層されて構成されている。なお、主表示部となる主ＬＣＤ表示体及び、操作部側筐体７の詳細については、本発明に直接関係しないので、省略している。
【０００４】
装飾紙１７を用いることにより、携帯電話装置の装飾性や視覚性を高めることができ、また、この装飾紙１７をユーザの好みのものに交換することにより、ユーザの嗜好に合わせることができるようになっている。なお、図１１，１２において、９はサブＬＣＤ表示体１のＩ／Ｆケーブル、１０はバックライト（白色ＬＥＤ）、２０は装飾カバーを示している。
【０００５】
図１３，１４を参照すると、装飾性を高める他の従来例が示されており、図１３は折り畳んだ状態の斜視図であり、図１４は表示部側筐体の分解斜視図であり、図１１，１２と同等部分は同一符号により示している。本例においては、図１２の装飾紙１７及び装飾紙カバー１９を用いる代りに、表面に装飾が施された装飾カバー１８を用いたものであり、他の構成は図１１，１２と同等である。
【０００６】
なお、携帯電話装置などの電子機器のＬＣＤ表示部における表示効果を高めるために、ＬＣＤ表示体以外に、有機ＥＬ表示体を、このＬＣＤ表示体に重ね合わせて取り付け、いずれか一方、または両方を、プログラム制御等の方法により表示制御する技術が、特許文献１に提案されている。
【特許文献１】特開２００３−９８９８３号公報
【発明の開示】
【発明が解決しようとする課題】
【０００７】
図１１〜１４に示した構成では、ユーザの好みに応じて、装飾紙１７や装飾カバー１８を交換することができるが、この方法では、ユーザに対して、携帯電話装置の筐体を部分的に取はずして、再組み立てを要求することになり、ユーザにとっては煩雑であり、また故障の原因にもなる。
【０００８】
また、特許文献１の技術では、主表示部において、ＬＣＤ表示体以外に、有機ＥＬ表示体を積層して設けることにより、必要に応じてＬＣＤと有機ＥＬとを使い分けたり、同時に表示したり制御することにより、表示部の視認性を向上させることが可能となるが、携帯電話装置の装飾性を考慮したものではないので、装飾性を考えると、図１１〜１４に示したような構造とならざるを得ず、よって上記と同様な問題がある。
【０００９】
本発明の目的は、装飾紙や装飾カバーを用いることなく、装置の装飾性や視認性を高めることが可能な携帯端末装置を提供することである。
【課題を解決するための手段】
【００１０】
本発明による携帯端末装置は、筐体に表示部を有する携帯端末装置であって、前記筐体の前記表示部を有する面のほぼ全面に設けられた有機ＥＬ表示体を含むことを特徴とする。
【００１１】
そして、前記表示部は、前記筐体の一主表面に設けられた主表示部と、前記筐体の他主表面に設けられた副表示部とからなり、前記主表示部を有する前記筐体の一主表面と、前記副表示部を有する前記筐体の他主表面との少なくとも一方に、前記有機ＥＬ表示体が設けられていることを特徴とする
【００１２】
そして、前記筐体は操作部を有する操作側筐体と、前記表示部を有する表示側筐体とを有し、これら両筐体が折り畳み自在に構成されていることを特徴とする。更に、装置のイベント状態に応じて前記表示部と前記有機ＥＬ表示体との表示内容を選択制御する制御手段を含むことを特徴とし、前記制御手段は、装置が置かれた環境の明暗に応じて前記表示内容の選択制御を行うようにしたことを特徴とし、また前記制御手段は、充電状態かどうかに応じて前記表示内容の選択制御を行い、また、電池電圧の状態に応じて前記表示内容の選択制御を行うようにしたことを特徴とする。
【発明の効果】
【００１３】
本発明によれば、装置筐体のカバー外面のほぼ全面に、有機ＥＬ発光体を貼り付けるようにしたので、ユーザ好みの装飾紙や装飾カバーなどを用いる必要がなくなり、また装置状態に応じた表示内容を選択することができるので、種々の装飾的表示が可能となるという効果がある。また、夜間のような暗い場所でも、副表示部の無機質な表示、例えばＬＥＤランプ表示や、時計表示に、更に有機ＥＬにより模様などの表示を重ね合わせることにより、視覚的に幻想的な表現が可能となり、いわゆる癒しの効果も期待できることになる。
【発明を実施するための最良の形態】
【００１４】
以下に図面を参照しつつ本発明の実施の形態について説明する。図１，２は本発明の一実施の形態を示す構成図であり、図１１〜１４と同等部分は同一符号により示している。図１は折り畳み時の斜視図であり、図２は表示部側筐体６の分解斜視図である。表示部側筐体６は、透明有機ＥＬディスプレイ兼カバー３と、筐体カバー６１と、サブＬＣＤ表示体１と、バックライト（導光板）２と、表示部側基板２１と、カバー２２とが、装飾ネジ５によりネジ止めされて積層されている。表示部側筐体６と操作部側筐体７とは、ヒンジ３０により折り畳み自在に連結されている。
【００１５】
カバー２２は図示せぬ主表示部となるメインＬＣＤ表示体を保護するものであり、副表示部となるサブＬＣＤ表示体１は液晶ディスプレイＩ／Ｆケーブル９によって表示部側基板２１に接続されている。また、有機ＥＬディスプレイＩ／Ｆケーブル８も、表示部側基板２１にコネクタ１１により接続されている。
【００１６】
なお、４は有機ＥＬディスプレイＩ／Ｆケーブル８の接続を隠すための目隠し装飾カバーである。透明有機ＥＬディスプレイ兼カバー３は、透明な材質のカバーのパネル面に蒸着によって有機ＥＬ物質を貼り付けることにより、容易に形成することができる。この透明有機ＥＬディスプレイ兼カバー３は、発光体である有機物質がカラーの三原色に発光するようにＲＧＢに対応したパターンで蒸着されており、種々の模様を表示させることができるようになっている。
【００１７】
図３は図１，２に示した携帯電話機の機能ブロック図であり、アプリケーションＣＰＵ（以後、Ａ−ＣＰＵと称す）１０１は、制御中枢を司る中央演算ユニットであり、各部の制御をなすものである。光検出部１０２は、装置が置かれている周囲の明暗を検出するものであり、リアルタイムデバイス１０３は計時動作を行うものであって、シリアルＩ／Ｆ１０９によりＡ−ＣＰＵ１０１と接続されている。このリアルタイムデバイス１０３はカウンタで構成しても良く、またメモリ空間上に構築しても良い。
【００１８】
バックライト部１０５はメインＬＣＤ用のバックライトであり、バックライト部２はサブＬＣＤ１用のバックライトである。ＬＣＤ表示部１はサブＬＣＤ表示体であり、表示部１０４はメインＬＣＤ表示体である。ＥＬ表示部３は有機ＥＬ表示体である。ＲＯＭ１０６，ＲＡＭ１０７はＡ−ＣＰＵ１０１の動作プログラムを格納するメモリ、作業用メモリである。
【００１９】
充電検出部４０１は、電池の充電時を検出するものであり、また低電圧検出部４０３は電池の低電圧状態を検出するものであって、電池の電圧が所定値より低下した場合を検出する機能を有する。なお、この充電検出部４０１と低電圧検出部４０３とは別のブロックとして示しているが、同一ブロックとしても良い。
【００２０】
バックライト部２や１０５，光検出部１０２，充電検出部４０１及び低電圧検出部４０３は、ＧＰＩＯ（General Purpose Input/Output）１１０〜１１２，４０２及び４０４により、Ａ−ＣＰＵ１０１とそれぞれ接続されている。また、Ａ−ＣＰＵ１０１とＬＣＤ表示部１０４，１，ＥＬ表示部３，ＲＯＭ１０６，ＲＡＭ１０７の各々とはバス１０８により接続されている。
【００２１】
１１３は割り込み信号であり、リアルタイムデバイス１０３が定期的（１分毎）に割り込み信号１１３を生成することにより、Ａ−ＣＰＵ１０１は、時刻更新のためにリアルタイムデバイス１０３を読みに行くようになっている。
【００２２】
メインＬＣＤ表示体用バックライト部１０５及びサブＬＣＤ表示体用バックライト部２は、それぞれ対応したＬＣＤを背面から照射して液晶（光学フィルタの役目をする）を通して色表示させることが可能である。
【００２３】
次に、本発明の実施の形態の動作について、図４に示すタイムチャートを使用して説明する。図４において、Ｓｔａｎｄ−ｂｙ（待機状態）において、各イベント３０２〜３０７が発生することにより、各々のイベントに応じた動作をするようになっている。
【００２４】
例えば、リアルタイムデバス１０３から、「１分割り込み」が割り込み信号１１３により、Ａ−ＣＰＵ１０１へ伝えられると（ステップ３０２）、Ａ−ＣＰＵ１０１は、シリアルＩ／Ｆ１０９を用いて現在時刻を読み出す（ステップ３１２）。読み出された時計情報は、サブＬＣＤ表示部の表示更新を行い（ステップ３１３）、更には、予め用意しておいた開始時刻／終了時刻（設定時間内）をＲＡＭ１０７より読み出しを行い（ステップ３１４）、現在時刻と比較を実施する（ステップ３１５）。
【００２５】
このとき、比較した結果が上記設定時間外であれば、有機ＥＬ表示部への時計用イルミネーション（イルミと略記する）画像表示停止を実施し（ステップ３１７）、比較した結果が上記設定時間内であれば、有機ＥＬ表示部への時計用イルミ画像表示変更または更新を行う（ステップ３１６）。この場合の表示例を図５に示す。
【００２６】
図５においては、１フレーム／１分の例として、１分毎に画面表示が変化する例を示しており、「０９０ｘｘｘｘｘｘｘｘ  ＮＥＣ−ｓａｎ」は発信元情報であり、「２００２．５．０９  １８：２０  Ｒｅｃ．」は時刻（カレンダー）情報であり、これら情報はサブＬＣＤ表示部に表示されている内容である。
【００２７】
その他に、有機ＥＬ表示体により所望の画像を表示することができ、この有機ＥＬ表示体によって、カラーなどを表示しても良いし、他のキャラクタ表示などを行うようにしても良く、また発信元に応じて、予めメモリに格納されている画像を表示するようにしても良い。
【００２８】
同様に、低電圧状態からの復帰イベントの発生（ステップ３０３）によって、低電圧用画像表示停止が実施され（ステップ３０８）、また、充電停止イベントの発生（ステップ３０４）によつて、充電中用画像表示停止が実施される（ステップ３０９）。以後は、ステップ３０２の１分割り込みイベントの場合と同様の処理が実施されることになる。
【００２９】
また、低電圧検出部４０３によって検出された信号は、ＧＰＩＯ４０４を経由してＡ−ＣＰＵ１０１に伝えられ、低電圧イベントの動作が開始され（ステップ３０５）、低電圧用画像表示に変更される（ステップ３１０）。この場合には、電池電圧が低い状態であるので、電池の負荷が軽くなるような表示画像とするのが良い。
【００３０】
更に、充電検出部４０１によって検出された信号は、ＧＰＩＯ４０２を経由してＡ−ＣＰＵ１０１に伝えられ、充電開始イベント発生の場合は（ステップ３０６）、充電中用画像表示に変更される（ステップ３１１）。この表示例を図６に示しており、サブＬＣＤ表示部の時刻表示のうえに、更に有機ＥＬ表示体による模様表示を行っている。
【００３１】
図７は、光検出部１０２において暗が検出され、かつ予め設定した時間開始停止時間内（設定時間内）で、かつ充電検出部４０１にて充電中（充電供給が可能であること）を検知した場合の、有機ＥＬ表示体に表示させた例である。本例では、サブＬＣＤ表示部の表示に対して、有機ＥＬ表示体に所望のカラー表示等を行っている例である。なお、図において、１６はＡＣアダプタケーブルを示している。
【００３２】
なお、本発明の変形例として、サブＬＣＤ表示部のある筐体カバー背面のほぼ全面に有機ＥＬ表示体を張り付ける代わりに、メインＬＣＤ表示部のある筐体表面のほぼ全面に有機ＥＬ表示体を張り付けるようにすることもできる。その場合には、図８に示すように、メインＬＣＤ表示部には、水の模様を表示し、有機ＥＬ表示体には、珊瑚礁や熱帯魚などを表示させて、立体感を持たせた水槽の幻想的表示をなすことが可能になる。
【００３３】
また、有機ＥＬ表示体を多層に重ね合わせて設けることにより、アニメーションセルのような表示方式として、背景画像、中間画像、前面画像などを様々に制御して遠近感豊かな動画像の表示が可能になる。
【００３４】
図９，１０は本発明の他の実施の形態を示す図であり、図９はその外観斜視図、図１０は表示部側筐体の分解斜視図である。図９，１０において、図１，２と同等部分は同一符号により示している。先の実施の形態では、有機ＥＬディスプレイ兼カバー３を用いているが、本例では、有機ＥＬ表示体プレート３１と、有機ＥＬ表示体カバー１２とを用いたものである。他の構成及び動作については、先の実施の形態と同等であるので、説明は省略する。
【００３５】
上記実施の形態においては、折り畳み式携帯電話機について述べたが、折り畳み式のものに限定されることなく、筐体に有機ＥＬ表示体を貼り付けて、この表示体の表示内容を装置イベントに応じて種々に制御することにより、本発明の目的は達成されるが、特に、ＬＣＤ表示部に有機ＥＬ表示体を重ね合わせることにより、表示内容が種々に変形でき、表現が豊かでかつ幻想的な画像表示が可能となる。
【００３６】
また、折り畳み式携帯電話機のサブＬＣＤ表示部のある筐体面にほぼ全面に有機ＥＬ表示体を貼り付けることにより、折り畳んだ状態では、無機質な表示内容を、上述した如く、幻想的な表示内容にできることになる。更に、携帯電話機に限らず、表示部を有する携帯端末装置に広く適用できることは勿論である。
【図面の簡単な説明】
【００３７】
【図１】本発明の一実施の形態の外観斜視図である。
【図２】図１の表示部側筐体の分解斜視図である。
【図３】本発明の実施の形態の機能ブロック図である。
【図４】本発明の実施の形態の動作を示すフローチャートである。
【図５】本発明の実施の形態における一表示例の変化を示す図である。
【図６】本発明の実施の形態における他の表示例を示す図である。
【図７】本発明の実施の形態における更に他の表示例を示す図である。
【図８】本発明の実施の形態における別の表示例を示す図である。
【図９】本発明の他の実施の形態の外観斜視図である。
【図１０】本発明の他の実施の形態の表示部側筐体の分解斜視図である。
【図１１】従来の一例を示す外観斜視図である。
【図１２】図１１の装置の表示部側筐体の分解斜視図である。
【図１３】従来の他の例を示す分解斜視図である。
【図１４】図１３の装置の表示部側筐体の分解斜視図である。
【符号の説明】
【００３８】
１  サブＬＣＤ表示体
２  バックライト（導光板）
３  透明有機ＥＬディスプレイ兼カバー
４  透明有機ＥＬディスプレイ接続部目隠し装飾カバー
５  装飾ネジ
６  表示部側筐体
７  操作部側筐体
８  有機ＥＬディスプレイＩ／Ｆケーブル
９  ＬＣＤディスプレイＩ／Ｆケーブル
１０  バックライト（白色ＬＥＤ）
１１  有機ＥＬディスプレイＩ／Ｆコネクタ
１２  有機ＥＬディスプレイカバー
１６  ＡＣアダプタケーブル
２１  表示部側基板
２２，６１  カバー
３０  ヒンジ
３１  透明有機ＥＬディスプレイプレート
１０１  Ａ−ＣＰＵ
１０２  光検出部
１０３  リアルタイムデバイス
１０４  ＬＣＤ表示部（メインＬＣＤ）
１０５  バックライト部（メインＬＣＤ用）
１０６  ＲＯＭ
１０７  ＲＡＭ
４０１  充電検出部
４０３  低電圧検出部
【図１】
2006054624.tif 000003
【図２】
2006054624.tif 000004
【図３】
2006054624.tif 000005
【図４】
2006054624.tif 000006
【図５】
2006054624.tif 000007
【図６】
2006054624.tif 000008
【図７】
2006054624.tif 000009
【図８】
2006054624.tif 000010
【図９】
2006054624.tif 000011
【図１０】
2006054624.tif 000012
【図１１】
2006054624.tif 000013
【図１２】
2006054624.tif 000014
【図１３】
2006054624.tif 000015
【図１４】
2006054624.tif 000016